(57)【特許請求の範囲】
【請求項１】
建造物の外壁面（Ｗａ）に太陽電池モジュール（Ｍ）を取り付ける施工方法において、
前記太陽電池モジュール（Ｍ）を枠構造体（１）により支持し、
前記枠構造体（１）に取り付けるための取付部（１３ａ）と、前記建造物の外壁面（Ｗａ）との間に所定の間隔（Ｈ）を設けるための段差部（１３ｂ）と、前記建造物の外壁面（Ｗａ）に固定するための固定部（１３ｃ）と、から成る掛け止め部材（１３）を準備し、
前記枠構造体（１）によって接着基礎面（４）を形成し、
前記接着基礎面（４）と前記建造物の外壁面（Ｗａ）とを、樹脂接着剤（７）によって部分的に接着施工する際に、
前記枠構造体（１）を前記掛け止め部材（１３）の前記段差部（１３ｂ）上に配置し、前記掛け止め部材（１３）の前記取付部（１３ａ）を前記枠構造体（１）の内側面（３ａ）に取付ネジ（５０）を介して取り付け、前記掛け止め部材（１３）の前記固定部（１３ｃ）を前記建造物の外壁面（Ｗａ）に固定ネジ（１４）を介して固定して、前記枠構造体（１）と前記建造物の外壁面（Ｗａ）との間に前記間隔（Ｈ）を設け、
前記掛け止め部材（１３）の前記段差部（１３ｂ）によって設けられた前記間隔（Ｈ）に前記樹脂接着材（７）を充填することを特徴とする建造物に対する太陽電池モジュールの施工方法。
【請求項２】
前記建造物の外壁面が、建造物における屋根外壁面、あるいは、建造物における側壁外壁面であることを特徴とする請求項１に記載の建造物に対する太陽電池モジュール施工方法。
【請求項３】
前記建造物の外壁面が、既存の建造物における既存の屋根外壁面、あるいは、既存の建造物における既存の側壁外壁面であることを特徴とする請求項２に記載の建造物に対する太陽電池モジュール施工方法。
【請求項４】
前記太陽電池モジュールを支持する枠構造体における接着基礎面と前記建造物の外壁面との間に、高さ調整部材を配置してなることを特徴とする請求項１〜請求項３のいずれかに記載の建造物に対する太陽電池モジュール施工方法。
【請求項５】
前記建造物の外壁面が、接着性に欠ける構造体である場合に、前記建造物における躯体生地に対して下地材を取り付けた後、前記太陽電池モジュールを支持する枠構造体における接着基礎面と前記下地材との間を樹脂接着剤によって接着施工するようになしたことを特徴とする請求項１〜請求項４のいずれかに記載の建造物に対する太陽電池モジュール施工方法。
【発明の詳細な説明】
【０００１】
【発明の属する技術分野】
この発明は、建造物における屋根面等の外壁面に太陽電池モジュールを取り付け施工する方法に係るものであり、特に、樹脂接着剤によって太陽電池モジュールを建造物における外壁面に取り付けるようにした建造物に対する太陽電池モジュール施工方法に関するものである。
【０００２】
【従来の技術】
周知のように、太陽電池モジュールは、太陽光エネルギーを電気に変換し、発電する光電変換装置の一つである。この太陽電池モジュールは、無尽の太陽光エネルギーをエネルギー源とするものであり、エネルギー節約の観点から、建造物に関係する電気系統の電源として建築業界においても、その利用可能性が研究開発され、現在、飛躍的に実用化の段階に至っている。
【０００３】
一例になる従来の太陽電池モジュールは、多数個の太陽電池セルを一平面にマトリックス状に配置し、インターコネクタ等の電気接続手段によって直列あるいは並列に接続し、一方の受光面側が、受光可能なようにプロテクトされており、他方の裏面側に対して端子ボックスが取り付けられていて、該端子ボックスから接続用の電線ケーブルが導かれている。このような形態のものとしてユニット化された太陽電池モジュールは、例えば、縦寸法Ｌ1 ＝１２００ｍｍ、横寸法Ｌ2 ＝８０２ｍｍ、厚さ寸法ｔ＝４６ｍｍのパネル状の構造体であり、その重量が約１２．５ｋｇもあって、その取扱いには、多大の注意と労力とを要するものであり、これを建造物の屋根あるいは壁面に設置固定するに当たっては、極めて煩雑な現場施工が強いられていた。
【０００４】
従来、現場施工における太陽電池モジュールの設置固定手段は、建造された建造物の屋根等の面上に、縦桟状の取付下地材を取付け、該取付下地材の上に太陽電池モジュールの幅方向縁部を支持する横桟状の型材を取付け、これらの縦桟状の取付下地材ならびに横桟状の型材によって構成される架台を設け、該架台における横桟状の型材間に太陽電池モジュールを規模に応じて、縦方向並びに横方向に複数ユニットずつ並べてマトリックス状に配置し、各太陽電池モジュールの縁部上面側を押さえ金具並びに中間押さえ部材等をあてがい、この押さえ金具並びに中間押さえ部材等をボルト締めすることによって各太陽電池モジュールを建造物の屋根等の面上に固定していた。
【０００５】
上記する建造物に対する太陽電池モジュールの現場施工は、太陽電池モジュール自体が破損しやすいものであり、表面に傷が付きやすいものであることからその取り扱いに多大の注意をはらう必要がある。しかも、当該太陽電池モジュールの固定設置作業に際し、太陽電池モジュールの周囲を押さえ金具、中間押さえ部材などで押さえ、これをボルト締めにより固定する作業は、極めて煩雑であり、多大な労力を要していた。
【０００６】
そこで、この発明の目的は、建造物の外壁面に太陽電池モジュールを取り付ける施工方法にあって、上記する従来の典型的な施工方法にみられる問題点を解消するものであり、建造物の外壁面に対する架台施工を省き、当該太陽電池モジュールを樹脂接着剤によって建造物の外壁面に取り付けようとするものであり、それによって、施工の簡素化を図り、工期の短縮並びにコストダウンを可能とする建造物に対する太陽電池モジュール施工方法を提供することにある。
【０００７】
【課題を解決するための手段】
この発明は、上記する目的を達成するにあたって、具体的には、建造物の外壁面に太陽電池モジュールを取り付ける施工方法において、前記太陽電池モジュールを枠構造体により支持し、前記枠構造体によって前記太陽電池モジュールの裏面側に接着のための接着基礎面を形成し、前記接着基礎面と前記建造物の外壁面との間を樹脂接着剤によって少なくとも部分的に接着施工するようになした建造物に対する太陽電池モジュール施工方法を構成するものである。
【０００８】
さらに、この発明は、前記建造物の外壁面が、建造物における屋根外壁面、あるいは、建造物における側壁外壁面である建造物に対する太陽電池モジュール施工方法を構成するものである。
【０００９】
さらに、この発明は、前記建造物の外壁面が、既存の建造物における既存の屋根外壁面、あるいは、既存の建造物における既存の側壁外壁面である建造物に対する太陽電池モジュール施工方法を構成するものである。
【００１０】
さらに、この発明は、前記太陽電池モジュールを支持する枠構造体における接着基礎面と前記建造物の外壁面との間に、高さ調整部材を配置してなる建造物に対する太陽電池モジュール施工方法を構成するものである。
【００１１】
さらに、この発明は、太陽電池モジュールを支持する枠構造体に掛け止め部材を取り付け、前記掛け止め部材と前記建造物の外壁面との間を固定するようになした建造物に対する太陽電池モジュール施工方法を構成するものである。
【００１２】
さらに、この発明は、前記建造物の外壁面が、接着性に欠ける構造体である場合に、前記建造物における躯体生地に対して下地材を取り付けた後、前記太陽電池モジュールを支持する枠構造体における接着基礎面と前記下地材との間を樹脂接着剤によって接着施工するようになした建造物に対する太陽電池モジュール施工方法を構成するものである。
【００１３】
さらにまた、この発明は、建造物の外壁面に太陽電池モジュールを取り付ける施工方法において、前記太陽電池モジュールが、枠無し太陽電池モジュールからなり、前記枠無し太陽電池モジュールの裏面と前記建造物の外壁面との間を樹脂接着剤によって少なくとも部分的に接着施工するようになした建造物に対する太陽電池モジュール施工方法を構成するものでもある。
【００１４】
さらに、この発明は、前記枠無し太陽電池モジュールの裏面と前記建造物の外壁面との間に、高さ調整部材を配置してなる建造物に対する太陽電池モジュール施工方法を構成するものである。
【００１５】
さらに、この発明は、前記枠無し太陽電池モジュールに掛け止め部材を取り付け、前記掛け止め部材と前記建造物の外壁面との間を固定するようになした建造物に対する太陽電池モジュール施工方法を構成するものである。
【００１６】
さらにまた、この発明は、建造物の外壁面に太陽電池モジュールを樹脂接着剤層を介して取り付ける建造物に対する太陽電池モジュール施工方法にあって、前記樹脂接着剤層を形成する手段が、軸線に対して傾斜状にカットされた接着剤吐出口を備えた接着剤塗布器を用いて行ない、前記樹脂接着剤層を横断面山形状に形成し、前記横断面山形状の樹脂接着剤層に対して山形頂部側を被接着物側に押し当てて横断面山形状の樹脂接着剤層を押しつぶして接着施工するようになした建造物に対する太陽電池モジュール施工方法を構成するものでもある。
【００１７】
【発明の実施の形態】
以下、この発明になる建造物に対する太陽電池モジュール施工方法について、図面に示す具体的な一実施例にもとづいて詳細に説明する。
図１は、この発明になる建造物に対する太陽電池モジュール施工方法による基本的な施工例を示すものであって、図１Ａは、建造物における傾斜した屋根外壁面に施工した状態を一部破断して示す概略的な側断面図であり、図１Ｂは、主要部分を拡大して示す概略的な拡大側断面図である。図１並びにその他の図において、太陽電池モジュールＭは、その内部構造を省略して、概略的に図示するものである。
【００１８】
前記太陽電池モジュールＭの内部構造は、多数個の太陽電池セルＳS を一平面にマトリックス状に配置して、例えば、インターコネクタ等の電気接続手段によって直列あるいは並列に接続して太陽電池セル列を構成するものであり、該太陽電池セル列の一方の受光面側を受光可能なように透明樹脂充填材並びに強化ガラス板等によってプロテクトしてあり、太陽電池モジュールＭにおける表面側Ｍａを形成し、他方の面側に透明樹脂充填材並びに耐候性フィルム等を貼り合わせて太陽電池モジュールＭにおける裏面側Ｍｂを形成し、積層化した平面視矩形板状の構造体として構成されている。
【００１９】
このユニット化された太陽電池モジュールＭは、施工規模に応じて、通常、縦方向並びに横方向に複数ユニットずつ並べてマトリックス状に配列した状態に施工される。前記太陽電池モジュールＭは、上記する使用態様に適合するように、各ユニット毎に電気接続のための電気接続手段を備えている。一例において、前記電気接続手段として、前記太陽電池モジュールＭの裏面側Ｍｂには、端子ボックスＴＢが取り付けられており、前記端子ボックスＴＢから電気接続用の電線ケーブルＣ１、Ｃ２が導出している。
【００２０】
この発明にあって、前記太陽電池モジュールＭの裏面側Ｍｂに前記端子ボックスＴＢ並びにケーブルＣ１、Ｃ２が設けられている構成のものに対して、前記太陽電池モジュールＭの四辺を支持する枠構造体１が組み合わされる。前記枠構造体１は、図１Ｂに一部拡大して示すように、例えば、アルミニウム製の成形型材２からなっており、前記アルミニウム製の成形型材２は、幅寸法Ｗ、厚さ寸法ｔの概して横断面矩形の角筒部分３でなり、幅方向の一端側に接着基礎面４を有し、幅寸法の他端側に前記太陽電池モジュールＭの縁辺部Ｍｃを収納支持する収納支持部５を備えたものからなっている。前記成形型材２の厚さ方向の一方の面側には、図１に示す施工方法にあって突き当てとして機能する突き当て部６が設けてある。
【００２１】
上記するアルミニウム製の成形型材２は、適用される前記太陽電池モジュールＭの縦横寸法に応じて、長さ方向に切断され、当該切断された成形型材２を組み立てることによって前記太陽電池モジュールＭの四辺を支持する枠構造体１を形成する。この枠構造体１に対して、前記太陽電池モジュールＭが組み合わされ、図９および図１０に示す太陽電池モジュールユニットＭＵが形成される。このように形成された太陽電池モジュールユニットＭＵは、前記太陽電池モジュールＭおよび前記枠構造体１との組み合わせによって構成されるものであり、結果として前記枠構造体１によって前記太陽電池モジュールＭの裏面側Ｍｂに接着のための接着基礎面４を形成してなる太陽電池モジュールユニットＭＵを形成し、前記接着基礎面４と建造物の外壁面Ｗａとの間を樹脂接着剤７によって少なくとも部分的に接着施工することができるようになっている。この発明にあって、前記樹脂接着剤７は、湿気硬化型の接着剤である。前記樹脂接着剤７が部分的に設けられる場合は、太陽電池モジュールユニットＭＵの裏面側における通気性の点に関して有効に作用する。
【００２２】
この発明において、前記建造物の外壁面Ｗａとは、例えば、図１に典型的に示すような建造物における屋根外壁面であり、あるいは、建造物における側壁外壁面である。前記建造物の外壁面Ｗａは、既存の建造物における既存の屋根外壁面あるいは既存の建造物における既存の側壁外壁面、さらには、新築の建造物における新たな屋根外壁面あるいは新たな側壁外壁面のいずれであってもよい。
【００２３】
この発明では、特に、既存の建造物における既存の屋根外壁面あるいは既存の建造物における既存の側壁外壁面に対する太陽電池モジュールＭの取付け施工に関して極めて有効に適合するものである。既存の建造物における既存の外壁面Ｗａは、種々の形態のものとして存在しており、例えば、図１に示すもののように屋根躯体生地８の上面に金属板９を葺設したもの、スレートを葺設したもの、コンクリートあるいはモルタルにより仕上げられたもの、合成樹脂製シート材を葺設したもの、図３に示すもののように、防水層（シート貼りによるもの、ウレタン塗布あるいは樹脂塗布によるもの）により仕上げられたもの、さらには、図５に示すもののように、瓦材１０を葺設したものなどがあり、その外表面の素材あるいはその表面状況に応じて、施工方法が決められる。
【００２４】
この発明になる建造物に対する太陽電池モジュール施工方法において、対象とする建造物が、既存のものであり、且つ、既存の外壁面Ｗａが、例えば、金属板葺き、あるいはスレート葺きなどのように、比較的に平面性を有しており、接着性の面において問題がない場合には、図１に示す構成例のように、前記枠構造体１における接着基礎面４と建造物における外壁面Ｗａの表面との間を樹脂接着剤７によって直接的に接着することができる。
【００２５】
これに対して、既存の外壁面Ｗａが、例えば、図３に示す構成例のように、防水層として、シート貼りあるいはウレタン塗布などによって構成されていて、外壁面の素材自体に樹脂接着剤による接着性に問題がある場合、さらには、図５に示す構成例のように、瓦葺き、あるいは波板葺きなどによって構成されていて、平面性がなく、しかも、接着性の面において問題があるような場合には、前記建造物における躯体生地８に対して下地材１１を固定ネジ１２により取り付けた後、前記太陽電池モジュールを支持する枠構造体における接着基礎面４と前記下地材１１との間を樹脂接着剤７によって接着施工するように構成すればよい。
【００２６】
さらに、この発明になる建造物に対する太陽電池モジュール施工方法においては、前記太陽電池モジュールＭを支持する枠構造体１における接着基礎面４と前記建造物の外壁面Ｗａとの間に、高さ調整部材２０を配置する。前記高さ調整部材２０は、建造物における外壁面Ｗａに対する太陽電池モジュールユニットＭＵの並行性の確保、並びに、建造物における外壁面Ｗａに対して接着施工する複数の太陽電池モジュールユニットＭＵの相互の平面性の確保、さらには、樹脂接着剤層の均一形成を省力的に行なう上において有効に機能する。
【００２７】
さらにまた、この発明における建造物に対する太陽電池モジュール施工方法では、前記太陽電池モジュールＭを枠構造体１により支持し、前記枠構造体１によって太陽電池モジュールＭの裏面側Ｍｂに接着のための接着基礎面４を形成し、この接着基礎面４と前記建造物の外壁面Ｗａとの間を樹脂接着剤７によって少なくとも部分的に接着施工する際、前記太陽電池モジュールＭを支持する枠構造体１に掛け止め部材１３を取り付け、この掛け止め部材１３と前記建造物における躯体生地８との間を固定ネジ１４によって固定するように構成してある。
【００２８】
この発明になる建造物に対する太陽電池モジュール施工方法では、図１に示すように、各太陽電池モジュールユニットＭＵを縦横に、例えば、該太陽電池モジュールユニットＭＵの枠構造体１における突き当て部分６を突き合わせ状態にして突き当て施工する場合と、図３に示すように、各太陽電池モジュールユニットＭＵを縦横に、該太陽電池モジュールユニットＭＵの枠構造体１における突き当て部分６間に若干の間隔をおいて施工する場合とがある。後者の場合は、当該施工方法に関して、経年後、太陽電池モジュールＭの故障などの理由により、前記太陽電池モジュールＭを取り外すような場合に、当該間隔部分から取り外しのための工具を挿入して、取り外し作業の省力化を図るものである。当該間隔部分には、必要に応じて、目地カバー４１などを取り付けておけばよい。
【００２９】
この発明になる建造物に対する太陽電池モジュール施工方法にあって、建造物の外壁面Ｗａに対し、複数の太陽電池モジュールユニットＭＵをマトリックス状に縦横方向に配列施工する場合、前記各太陽電池モジュールユニットＭＵは、隣接するユニット間において電気的に接続されなければならない。この場合、前記各太陽電池モジュールＭにおける裏面側Ｍｂに設けてある端子ボックスＴＢからのびる電線ケーブルＣ１、Ｃ２が利用される。この場合、前記各太陽電池モジュールユニットＭＵを構成する前記枠構造体１における角筒部分３に対して、厚さ方向に貫通するケーブル挿通孔１５が設けてある。
【００３０】
この発明になる建造物に対する太陽電池モジュール施工方法によれば、図４各図に示す構成例を含むものである。図４は、この発明にあって、太陽電池モジュールユニットＭＵ間を直接結線するための直接結線コネクター２１、２２および２３の具体的な実施例を示す概略的な側断面図である。
【００３１】
図４Ａに示す直接結線コネクター２１は、前記太陽電池モジュールユニットＭＵにおける枠構造体１間に配設した構造のものであって、内部に太陽電池モジュールの電線ケーブルＣ１、Ｃ２を挿通可能であるとともに、前記太陽電池モジュールユニットＭＵの配列間隔を確保するためのスペーサとして機能する。
【００３２】
図４Ｂに示す直接結線コネクター２２は、前記太陽電池モジュールユニットＭＵにおける枠構造体１間にあって、一方のモジュールユニットＭＵと屋内母線との間を接続する第１の部材２２Ａと、屋内母線と他方のモジュールユニットＭＵとの間を接続する第２の部材２２Ｂとによって構成されている。この実施例の場合、各部材２２Ａ、２２Ｂは、電線ケーブルＣ１、Ｃ２の挿通部材として機能するとともに、前記太陽電池モジュールユニットＭＵの配列間隔を確保するためのスペーサとして機能し、且つ、前記太陽電池モジュールユニットＭＵを仮止めしておくための掛け止め部材としても機能する。
【００３３】
図４Ｃに示す直接結線コネクター２３は、一方の太陽電池モジュールユニットＭＵに設けた第１の部材２３Ａと、他方の太陽電池モジュールユニットＭＵに設けた第２の部材２３Ｂと、前記第１の部材２３Ａおよび第２の部材２３Ｂの各自由端側を接続するとともに、モジュールユニットＭＵと屋内母線との間を接続するための第３の部材２３Ｃとの組み合わせによって構成されており、両太陽電池モジュールユニット間を直接結線することができ、且つ、一方のモジュールユニットＭＵと屋内母線との間、並びに、屋内母線と他方のモジュールユニットＭＵとの間を接続することもできるように構成されている。この実施例になる直接結線コネクター２３も、電線ケーブルＣ１、Ｃ２の挿通部材として機能するとともに、前記太陽電池モジュールユニットＭＵの配列間隔を確保するためのスペーサとして機能し、且つ、前記太陽電池モジュールユニットＭＵを仮止めしておくための掛け止め部材としても機能する。
【００３４】
図６は、太陽電池モジュールＭの改良によって、太陽電池モジュールＭにおける端子ボックスＴＢが当該太陽電池モジュールＭの裏面Ｍｂから取り除かれ、側部コネクタ１６によって側部接続方式とした場合の施工例を示すものであって、この場合にあっては、太陽電池モジュールＭの裏面Ｍｂに端子ボックスＴＢ並びに電線ケーブルＣ１、Ｃ２が存在しないので、そのための空間を設ける必要がない。したがって、前記太陽電池モジュールＭの四辺を支持する枠構造体の形態も変更されるものであり、具体的には、太陽電池モジュールＭの縁辺部Ｍｃを収納支持する収納支持部５がありさえすればよい。この場合、収納支持部５の裏面５ａと建造物における外壁面Ｗａとの間が樹脂接着剤７によって接着されるものであって、コンパクトに設計でき、枠構造体のコストダウンと併せて有利に作用するものである。
【００３５】
この発明になる建造物に対する太陽電池モジュール施工方法によれば、図７各図に示す構成例、すなわち、枠無しの太陽電池モジュールＮＭに対しての適用例をも含む。図７は、この発明にあって、枠無し太陽電池モジュールＮＭに対し、直接的な結線コネクターを組み合わせた施工例を示すものであって、図７Ａ、図７Ｂおよび図７Ｃは、それぞれ異なる具体的な実施例を示す概略的な側断面図である。一方、図８は、枠無し太陽電池モジュールＮＭに対する掛け止め部材の取り付け例を示すものであって、図８Ａは、その概略的な斜視図、図８Ｂは、枠無し太陽電池モジュールに対して掛け止め部材を外付けした例を示す概略的な側面図、図８Ｃは、枠無し太陽電池モジュールＮＭに対して掛け止め部材を内部組み立てしてなる例を示す概略的な側面図である。
【００３６】
図７Ａに示す直接結線コネクター３１は、前記枠無し太陽電池モジュールＮＭ間に配設した構造のものであって、両枠無し太陽電池モジュールＮＭを電気的に接続するとともに、両枠無し太陽電池モジュールＮＭ間の配列間隔を確保するためのスペーサとしても機能するようになっている。図７Ａに示す実施例並びに図７Ｂおよび図７Ｃに示す実施例のいずれも、前記枠無し太陽電池モジュールＮＭの裏面と建造物における外壁面９との間が樹脂接着剤７によって直接的に接着されていて、高さ調整部材２０によってレベル確保されている。
【００３７】
図７Ｂに示す直接結線コネクター３２は、前記枠無し太陽電池モジュールＮＭ間にあって、一方の枠無し太陽電池モジュールＮＭの裏面と屋内母線との間を接続する第１の部材３２Ａと、他方の枠無し太陽電池モジュールＮＭの裏面と屋内母線との間を接続する第２の部材３２Ｂとによって構成されている。この実施例の場合、各部材３２Ａ、３２Ｂは、電線ケーブルＣ１、Ｃ２の挿通部材として機能するとともに、前記枠無し太陽電池モジュールＮＭを仮止めしておくための掛け止め部材としても機能する。
【００３８】
図７Ｃに示す直接結線コネクター３３は、前記枠無し太陽電池モジュールＮＭ間にあって、一方の枠無し太陽電池モジュールＮＭの端面と屋内母線との間を接続する第１の部材３３Ａと、他方の枠無し太陽電池モジュールＮＭの端面と屋内母線との間を接続する第２の部材３３Ｂとによって構成されている。この実施例の場合も各部材３３Ａ、３３Ｂは、電線ケーブルＣ１、Ｃ２の挿通部材として機能するとともに、前記枠無し太陽電池モジュールＮＭを仮止めしておくための掛け止め部材としても機能する。
【００３９】
一方、図１３は、前記枠無し太陽電池モジュールＮＭの他の構成例、並びに当該枠無し太陽電池モジュールＮＭの他の施工構造例を例示するものである。図１３Ａに示す枠無し太陽電池モジュールＮＭは、裏面に端子ボックスＴＢがとりつけられていて、該端子ボックスＴＢから電線ケーブルＣ１、Ｃ２が導出する構造のものからなっている。この場合には、前記端子ボックスＴＢの位置空間を確保する目的において、高さ調整部材２０が適用され、それにともなって、樹脂接着剤層７も比較的厚層に形成される。
【００４０】
図１３Ｂは、枠無し太陽電池モジュールＮＭの他の施工構造例にあって、例えば、当該枠無し太陽電池モジュールＮＭの裏面側の通気性を考慮して、図１４Ａに示すように当該枠無し太陽電池モジュールＮＭの長辺に沿って複数の嵩上げ部材４２を設け（同様に、図１４Ｂにあっては、当該枠無し太陽電池モジュールＮＭの短辺に沿って複数の嵩上げ部材４２を設けた例）、前記嵩上げ部材４２の裏面と建造物の外表面Ｗａとの間を樹脂接着剤７によって接着するものである。この実施例は、図１３Ａに示すような裏面に端子ボックスＴＢを備えた枠無し太陽電池モジュールＮＭの施工に対しても有効に作用する。
【００４１】
この発明は、さらに、前記太陽電池モジュールユニットＭＵを建造物の外壁面に対して樹脂接着剤７により接着する工程において、前記樹脂接着剤７を塗布するための手段として、接着剤塗布器１７が極めて有効に用いられる。前記接着剤塗布器１７は、軸線に対して傾斜状にカットされた接着剤吐出口１８を備えたものからなっており、樹脂接着剤層を横断面山形状に形成しようとするもので、この横断面山形状の樹脂接着剤層１９に対して山形頂部１９ａ側を被接着物側に押し当てて横断面山形状の樹脂接着剤層を押しつぶして接着施工するようになっている。この樹脂接着剤層１９を形成する際して、図１１Ａに示すように、塗布面に対する軸線角度α１を小さくした場合、横断面山形状の樹脂接着剤層の高さ寸法ｈ１を低くすることができ、図１２Ａに示すように、塗布面に対する軸線角度α２を大きくした場合、横断面山形状の樹脂接着剤層の高さ寸法ｈ２を高くすることができる。
【００４２】
【発明の効果】
以上の構成になるこの発明の建造物に対する太陽電池モジュール施工方法によれば、まず、第１に、太陽電池モジュールＭと、アルミニウム製でなる枠構造体１との組み合わせによって構成される太陽電池モジュールユニットＭＵからなっている点、太陽電池モジュールユニットＭＵの枠構造体１における枠構造体１を樹脂接着剤７を介在させて接着によって固定施工するものであり、建造物における外壁面に太陽電池モジュールＭを取付けるための施工作業の省力化を高めるものであり、工期の短期化と併せて極めて有利に作用するものといえる。
【００４３】
さらに、この発明になる建造物に対する太陽電池モジュール施工方法においては、建造物の外壁面が、建造物における屋根外壁面である場合、あるいは、建造物における側壁外壁面であるのいずれに対しても適用が可能であり、さらには、既存の建造物における既存の外壁面に対する施工、並びに新築の建造物における新たな外壁面に対する施工のいずれに対しても対応するものであって、その点においても極めて有効に作用する。
【００４４】
さらにまた、この発明になる建造物に対する太陽電池モジュール施工方法によれば、太陽電池モジュールを支持する枠構造体における接着基礎面と建造物の外壁面との間に、高さ調整部材を配置することによって、建造物における外壁面Ｗａに対する太陽電池モジュールユニットＭＵの並行性の確保、並びに、建造物における外壁面Ｗａに対して接着施工する複数の太陽電池モジュールユニットＭＵの相互の平面性の確保、さらには、樹脂接着剤層の均一形成を省力的に行なう上において極めて有効に作用するものといえる。
【００４５】
さらにまた、この発明になる建造物に対する太陽電池モジュール施工方法によば、太陽電池モジュールを枠構造体により支持し、枠構造体によって太陽電池モジュールの裏面側に接着のための接着基礎面を形成し、接着基礎面と建造物の外壁面との間を樹脂接着剤によって少なくとも部分的に接着施工する際、太陽電池モジュールを支持する枠構造体に掛け止め部材を取り付け、該掛け止め部材と建造物の外壁面との間を固定するようになした点において、施工作業の省力化を図ることができ、樹脂接着剤が乾くまでの間のずり落ちを確実に防止するこたができる点においても極めて有効に作用するものといえる。
【００４６】
さらにまた、この発明になる建造物に対する太陽電池モジュール施工方法によば、建造物の外壁面が、既存の建造物における既存の屋根外壁面、あるいは、既存の建造物における既存の側壁外壁面であって、既存の外壁面が接着性に欠ける構造体である場合に、建造物における躯体生地に対して下地材を取り付けた後、太陽電池モジュールを支持する枠構造体における接着基礎面と下地材との間を樹脂接着剤によって接着施工するようになした点において、既存の外壁面の種類にかかわらず、太陽電池モジュールの取付けを確実に行なえるという点においても極めて有効に作用するものといえる。
【００４７】
さらにまた、この発明になる建造物に対する太陽電池モジュール施工方法によば、樹脂接着剤層を形成する手段として、軸線に対して傾斜状にカットされた接着剤吐出口を備えた接着剤塗布器を用いて行ない、樹脂接着剤層を横断面山形状に形成し、横断面山形状の樹脂接着剤層に対して山形頂部側を被接着物側に押し当てて横断面山形状の樹脂接着剤層を押しつぶして接着施工するようになした点において、樹脂接着剤の塗布作業の省力化を図り、且つ、樹脂接着剤層の層状態の一定化を図り得る点においても極めて有効に作用するものといえる。
【図面の簡単な説明】
【図１】この発明になる建造物に対する太陽電池モジュール施工方法による基本的な施工例を示すものであって、図１Ａは、建造物の傾斜屋根に施工した状態を一部破断して示す概略的な側断面図であり、図１Ｂは、主要部分を拡大して示す概略的な拡大側断面図である。
【図２】図１に示す基本的な施工例に対し、太陽電池モジュールの取り外し時における便を図るべく、隣接する太陽電池モジュール間に若干の間隔をおいて施工する施工例を示す概略的な側断面図である。
【図３】図１に示す基本的な施工例に対し、建造物の外壁面が接着性に欠ける構造体（防水層を有する構造体）である場合に、躯体生地に対して、例えばステンレス板製の下地材を取り付けた後、太陽電池モジュールを接着施工する具体例を示す概略的な側断面図である。
【図４】この発明にあって、太陽電池モジュールユニットＭＵ間を直接結線するための直接結線コネクターの具体例を示すものであって、図４Ａ、図４Ｂおよび図４Ｃは、それぞれ異なる具体的な実施例を示す概略的な側断面図である。
【図５】図１に示す基本的な施工例に対し、既存屋根の表面構造が瓦葺き屋根のように表面が波打ちしている構造体であって、且つ、接着性に欠ける構造体である場合に、躯体生地に下地材を取り付けた後、太陽電池モジュールを接着施工する具体例を示すものであり、図５Ａは、その概略的な斜視図であり、図５Ｂは、概略的な側断面図である。
【図６】太陽電池モジュールの改良によって、太陽電池モジュールにおける端子ボックス等が当該太陽電池モジュールの裏面から取り除かれ、側部接続方式とした場合の施工例を示す概略的な側断面図である。
【図７】太陽電池モジュールの改良によって、枠無し太陽電池モジュールに対する施工例を示すものであって、図７Ａ、図７Ｂおよび図７Ｃは、それぞれ異なる具体的な実施例を示す概略的な側断面図である。
【図８】図７に示す枠無し太陽電池モジュールに対する掛け止め部材の取り付け例を示すものであって、図８Ａは、その概略的な斜視図、図８Ｂは、枠無し太陽電池モジュールに対して掛け止め部材を外付けした例を示す概略的な側面図、図８Ｃは、枠無し太陽電池モジュールに対して掛け止め部材を内部組み立てしてなる例を示す概略的な側面図である。
【図９】図１に示す基本的な施工例にあって、一つの太陽電池モジュールの施工状態を一部破断して示す概略的な斜視図である。
【図１０】この発明に適用される一つの太陽電池モジュールの基本的な構成例を示すものであって、図１０Ａは、その概略的な平面図であり、図１０Ｂは、その概略的な背面図である。
【図１１】この発明の施工例において、接着剤塗布のための具体例を示すものであって、図１１Ａは、接着剤塗布ノズルの形態並びに当該接着剤塗布ノズルを傾斜角α１で使用する使用形態を示す概略的な側断面図であり、図１１Ｂは、当該接着剤塗布ノズルを傾斜角α１で使用した場合の接着剤層の横断面の形態を示す概略的な横断面図である。
【図１２】この発明の施工例において、接着剤塗布のための具体例を示すものであって、図１２Ａは、接着剤塗布ノズルの形態並びに当該接着剤塗布ノズルを傾斜角α２で使用する使用形態を示す概略的な側断面図であり、図１２Ｂは、当該接着剤塗布ノズルを傾斜角α２で使用した場合の接着剤層の横断面の形態を示す概略的な横断面図である。
【図１３】枠無し太陽電池モジュールＮＭの他の構成例、並びに当該枠無し太陽電池モジュールＮＭの他の施工構造例を例示するものであって、図１３Ａは、裏面に端子ボックスＴＢを備えた枠無し太陽電池モジュールＮＭの構成例並びにその施工例を示す概略的な側断面図であり、図１３Ｂは、枠無し太陽電池モジュールＮＭの他の施工構造例にあって、例えば、当該枠無し太陽電池モジュールＮＭの裏面側の通気性を考慮して嵩上げ部材を適用した例を示す概略的な側断面図である。
【図１４】枠無し太陽電池モジュールＮＭに対する嵩上げ部材の配列例を示すものであって、図１４Ａは、枠無し太陽電池モジュールＮＭの長辺に沿って複数の嵩上げ部材を設けた実施例を示す概略的な平面図であり、図１４Ｂは、枠無し太陽電池モジュールＮＭの短辺に沿って複数の嵩上げ部材を設けた実施例を示す概略的な平面図である。
【符号の説明】
Ｍ  太陽電池モジュール
ＮＭ  枠無し太陽電池モジュール
ＭＵ  太陽電池モジュールユニット
ＳS   太陽電池セル
Ｍａ  太陽電池モジュールの表面側
Ｍｂ  太陽電池モジュールの裏面側
Ｍｃ  太陽電池モジュールの縁辺部
ＴＢ  端子ボックス
Ｃ１、Ｃ２  電線ケーブル
１  枠構造体
２  アルミニウム製成形型材
３  横断面矩形の角筒部分
４  接着基礎面
５  収納支持部
６  突き当て部
７  樹脂接着剤
Ｗａ  建造物の外壁面
８  躯体生地
９  建造物の外壁面の上面金属板
１０  瓦材
１１  下地材
１２  固定ネジ
１３  掛け止め部材
１４  固定ネジ
１５  ケーブル挿通孔
１６  側部コネクタ
１７  接着剤塗布器
１８  接着剤吐出口
１９  樹脂接着剤層
１９ａ  樹脂接着剤層の山形頂部
２０  高さ調整部材
２１、２２、２３  直接結線コネクター
３１、３２、３３  枠無し態様電池モジュール用直接結線コネクター
４１  カバー部材
４２  嵩上げ部材
【図１】
0004564154.tif 000002
【図２】
0004564154.tif 000003
【図３】
0004564154.tif 000004
【図４】
0004564154.tif 000005
【図５】
0004564154.tif 000006
【図６】
0004564154.tif 000007
【図７】
0004564154.tif 000008
【図８】
0004564154.tif 000009
【図９】
0004564154.tif 000010
【図１０】
0004564154.tif 000011
【図１１】
0004564154.tif 000012
【図１２】
0004564154.tif 000013
【図１３】
0004564154.tif 000014
【図１４】
0004564154.tif 000015